(57)【要約】【課題】上側のプレキャストコンクリート板と下側のプレキャストコンクリート板との境界部が補強筋などの余分な鉄筋を配筋をせずに強化できる床構造を提供することである。【解決手段】プレキャストコンクリート板２、３が段差をもって配置され、これらのプレキャストコンクリート板２、３上にトップコンクリート４が打設されて構成された段差部を備えた床構造１において、上記上下のプレキャストコンクリート板２、３の境界部６における上側のプレキャストコンクリート板２および下側のプレキャストコンクリート板３の少なくとも一方側に、前記境界部の境界線と同じ方向に組立鉄筋７、８が配筋された構成である。【選択図】    図１
2004150169.tif 000002
【特許請求の範囲】
【請求項１】
プレキャストコンクリート板が段差をもって配置され、これらのプレキャストコンクリート板上にトップコンクリートが打設されて構成された段差部を備えた床構造において、上記上下のプレキャストコンクリート板の境界部における上側のプレキャストコンクリート板および下側のプレキャストコンクリート板の少なくとも一方側に、前記境界部の境界線と同じ方向に組立鉄筋が配筋されたことを特徴とする段差部を備えた床構造。
【請求項２】
境界部の境界線と同じ方向に配筋された組立鉄筋と直交方向に配筋した組立鉄筋、凹部、凸部のうちの少なくとも一つが上下のプレキャストコンクリート板の上面に設けられたことを特徴とする請求項１に記載の段差部を備えた床構造。
【請求項３】
上下のプレキャストコンクリート板の境界部には、該境界部の境界線と同じ方向に小梁状の補強部が設けられたことを特徴とする請求項１または２に記載の段差部を備えた床構造。
【請求項４】
上側のプレキャストコンクリート板が、境界部の境界線と同じ方向に配筋された下側のプレキャストコンクリート板の組立鉄筋に載置されたことを特徴とする請求項１〜３のいずれかに記載の段差部を備えた床構造。
【請求項５】
組立鉄筋は予め組み立てられた鉄筋であり、適宜間隔ごとに配置された起立筋と、これらの起立筋を横方向で接続する連結筋とからなることを特徴とする請求項１〜４のいずれかに記載の段差部を備えた床構造。
【発明の詳細な説明】
【０００１】
【発明の属する技術分野】
本発明は段差部を備えた床構造に関するものである。
【０００２】
【従来の技術】
従来の段差部を備えた床構造として、特開平１１−２４７３４３号公報の発明がある。このような床構造は段差部でプレキャストコンクリート床板同士が不連続となるため、この部分を補強する必要があり、この補強方法としてプレキャストコンクリート床板のトラス筋の上下の主筋を伸ばしていた。
【０００３】
【特許文献１】
特開平１１−２４７３４３号公報（図１）
【０００４】
【発明が解決しようとする課題】
しかし、上記のように上側のプレキャストコンクリート板のトラス筋の主筋を伸ばす場合は、主筋をコンクリート板からはみ出した状態で配筋しなければならず、余分な手間を必要とした。一方、上側のプレキャストコンクリート板のトラス筋の主筋を伸ばす場合も、Ｌ形の補強筋を配筋しなければならず、余分な配筋を必要とした。
【０００５】
本発明はこれらの問題に鑑みてなされたものであり、その目的は、上側のプレキャストコンクリート板と下側のプレキャストコンクリート板との境界部が補強筋などの余分な鉄筋を配筋をせずに強化できる床構造を提供することである。
【０００６】
【課題を解決するための手段】
以上の課題を解決するための段差部を備えた床構造は、プレキャストコンクリート板が段差をもって配置され、これらのプレキャストコンクリート板上にトップコンクリートが打設されて構成された段差部を備えた床構造において、上記上下のプレキャストコンクリート板の境界部における上側のプレキャストコンクリート板および下側のプレキャストコンクリート板の少なくとも一方側に、前記境界部の境界線と同じ方向に組立鉄筋が配筋されたことを特徴とする構成である。また境界部の境界線と同じ方向に配筋された組立鉄筋と直交方向に配筋した組立鉄筋、凹部、凸部のうちの少なくとも一つが上下のプレキャストコンクリート板の上面に設けられたことを含み、また上下のプレキャストコンクリート板の境界部には、該境界部の境界線と同じ方向に小梁状の補強部が設けられたことを含み、また上側のプレキャストコンクリート板が、境界部の境界線と同じ方向に配筋された下側のプレキャストコンクリート板の組立鉄筋に載置されたことを含み、また組立鉄筋は予め組み立てられた鉄筋であり、適宜間隔ごとに配置された起立筋と、これらの起立筋を横方向で接続する連結筋とからなることを含むものである。
【０００７】
境界部の境界線と同じ方向に配筋した組立鉄筋によって境界部が補強されるので、余分な配筋をすることのない段差部を備えた床構造が構築できる。また境界部に形成された小梁状の補強部により境界部が補強される。上側のプレキャストコンクリート板が、境界部の境界線と同じ方向に配筋された下側のプレキャストコンクリート板の組立鉄筋に載置されたことにより、段差部が簡単に形成できる。組立鉄筋により上下のプレキャストコンクリート板へのトップコンクリートの付着を強める。
【０００８】
【発明の実施の形態】
以下、本発明の段差部を備えた床構造（以下、床構造という）の実施の形態について説明する。また各実施の形態において同じ構成は同じ符号を付して説明し、異なった構成にのみ異なった符号を付して説明する。
【０００９】
図１は第１の実施の形態の床構造１である。この床構造１は段差をもって敷設された上側のプレキャストコンクリート板（以下ＰＣ板という）２と、下側のプレキャストコンクリート板（以下ＰＣ板という）３との上にトップコンクリート４が打設されて構成されている。これらのＰＣ板２、３上には、予め工場または現場で組み立てられた組立鉄筋としてのトラス筋７、８が配筋されている。
【００１０】
この段差は下側のＰＣ床板２の端部における起立材５に、上側のＰＣ板２の端部が載置されて形成され、これらのＰＣ板２、３の境界部６を補強するために、コンクリート板１１の長辺方向に沿って配筋されたトラス筋７の直交方向に配筋されたトラス筋（以下直交トラス筋という）８が下側のＰＣ板３に配筋されている。この直交トラス筋８は上下のＰＣ板２、３の境界部における境界線と同じ方向に配筋されている。また上下のＰＣ板２、３を接続する連結筋９が上下のＰＣ板２、３にわたって配筋されている。
【００１１】
下側のＰＣ板３は、コンクリート板１１の一方の短辺側に間隙部（トラス筋７が配筋されない部分）１０が形成され、この間隙部１０に直交トラス筋８が配筋されている。したがって、コンクリート板１１の一方の短辺側に直交トラス筋８が配筋されたＰＣ板（工場製作）３を下側に設置するだけで、これらのＰＣ板２、３同士の境界部６を補強することができ、現場において余分な補強筋を配筋する必要がなくなる。
【００１２】
またトラス筋７と直交トラス筋８とは、三角形状に配置された一本の上端筋１２と二本の下端筋１３とが波形のラチス筋１４で接合した三角トラスである。これは三角トラスに限らず、一本の上端筋と一本の下端筋とがラチス筋で接合されたトラス筋（図示せず）であってもよい。
【００１３】
また図３は第２の実施の形態の床構造１５である。この床構造１５はトラス筋７と、直交トラス筋８との境界部６に小梁状の補強部１６が設けられたものであり、これ以外は第１の実施の形態の床構造１と同じ構成である。上記の間隙部１０は小梁状の補強部１６を構築することができる大きさであり、上記ＰＣ板３のトラス筋７よりも短いトラス筋７を配筋して形成するものである。また補強部１６の鉄筋１７内には上下のＰＣ板２、３からの接続筋１８が配筋されている。
【００１４】
また図４は第３の実施の形態の床構造１９である。この床構造１９は上下のＰＣ板２、３の境界部６における上側のＰＣ板２の端部に、直交トラス筋８ａが設けられたものであり、これ以外は第１の実施の形態の床構造１と同じ構成である。この直交トラス筋８ａで境界部６の強度を大きくすることができる。なお、この直交トラス筋８ａは、第１および第２の実施の形態の床構造１、１５にも適用することができる。
【００１５】
また図５は第４の実施の形態の床構造２０である。この床構造２０は、下側のＰＣ板の直交トラス筋８に上側のＰＣ板を載置して段差を形成したものであり、これ以外は第１の実施の形態の床構造１と同じ構成である。この直交トラス筋８により下側のＰＣ床板３の起立材５を省略することができる。なお、この構成は、第１〜第３のいずれかの実施の形態の床構造１、１５、１９にも適用することができる。
【００１６】
また図６および７は第５の実施の形態の床構造２１である。この床構造２１は上下のＰＣ板２、３の上面におけるトラス筋７に代わって凹部２２を設けたものであり、これ以外は第１の実施の形態の床構造１と同じ構成である。この凹部２２はトップコンクリート４との接続を強固にするものである。なお、この凹部２２の他に凸部（図示せず）を形成することもできる。また、これらの凹部２２および凸部は、第１〜４のいずれの実施の形態の床構造１、１５、１９、２０にも適用することができる。
【００１７】
なお、組立鉄筋としては、上記の直交トラス筋８の他に、図８に示すように、適宜間隔ごとに配置した起立筋２３と、これらを横方向で接続する連結筋２４とからなるものであってもよい。
【００１８】
【発明の効果】
組立鉄筋としての直交トラス筋によりＰＣ床板と現場打ちコンクリートとの一体性を確保できるので、他の補強筋を配筋する必要がない。
【００１９】
予め配筋された補強筋である直交トラス筋により現場での施工性を高めることができる。
【００２０】
下側のＰＣ板の直交トラス筋の上に上側のＰＣ板を載置したことにより、段差部が簡単に形成できる。
【図面の簡単な説明】
【図１】第１の実施の形態の床構造の断面図である。
【図２】第１の実施の形態の床構造の平面図である。
【図３】第２の実施の形態の床構造の断面図である。
【図４】第３の実施の形態の床構造の断面図である。
【図５】第４の実施の形態の床構造の断面図である。
【図６】第５の実施の形態の床構造の断面図である。
【図７】第５の実施の形態の床構造の平面図である。
【図８】組立鉄筋の斜視図である。
【符号の説明】
１、１５、１９、２０、２１  床構造
２  上側のＰＣ板
３  下側のＰＣ板
４  トップコンクリート
５  起立材
６  境界部
７  トラス筋
８、８ａ  直交トラス筋
９  連結筋
１０  間隙部
１１  コンクリート板
１２  上端筋
１３  下端筋
１４  ラチス筋
１６  補強部
１７  補強部の鉄筋
１８  接続筋
２２  凹部
２３  起立筋
２４  連結筋
【図１】
2004150169.tif 000003
【図２】
2004150169.tif 000004
【図３】
2004150169.tif 000005
【図４】
2004150169.tif 000006
【図５】
2004150169.tif 000007
【図６】
2004150169.tif 000008
【図７】
2004150169.tif 000009
【図８】
2004150169.tif 000010